(57)【要約】      （修正有）【課題】靴本体１つで何種類もの機能を備える事を可能に出来、クッション性、履き心地、ファッション性等付加価値を高める。【解決手段】靴本体のソール２と脱着用のソール３は、１箇所以上のねじ式固定４，５により脱着出来る様にした２重構造であることを特徴とする。靴本体のソール２単体での使用も可能であり、脱着用のソール３はウオーキング用、ゴルフ用、登山用、スノースパイクタイプ、フエルト底タイプ、雨天仕様タイプ等の形状仕様にて構成されている。又、靴本体のソール２と脱着用のソール３の外周、アウトソール部８は水等異物の侵入を防ぐと同時にソール１と２の密着を良くするため、凹凸の溝９，１０をそれぞれ合う用に設け、機能別のソールを必要に応じ付け替えることにより何種類もの機能を備える事を可能にした。【選択図】  図１
2004208979.tif 000002
【特許請求の範囲】
【請求項１】
靴構造において、ソール部がソール（１）とソール（２）の２重構造でソール（２）を用途に合わせ脱着出来ることを特徴とする靴構造。
【請求項２】
ソール（１）とソール（２）の平面部（３）は、ねじ式固定（４）１箇所以上により脱着出来る請求項１記載の靴構造。
【請求項３】
ソール（１）とソール（２）の平面部（３）は、鍵式固定（５）１箇所以上により脱着出来る請求項１記載の靴構造。
【請求項４】
ソール（１）とソール（２）の外周、アウトソール部については水等異物の侵入を防ぐと同時にソール（１）と（２）の密着を良くし、閉ざされた空間にある空気によりクッション性を高めるため、凹凸の溝をそれぞれ合う用に設けた、請求項１記載の靴構造。
【請求項５】
ソール（１）単体での使用も可能であり、脱着用のソール（２）は路面設置面についてウオーキング用、ゴルフ用、登山用、スノースパイクタイプ、フエルト底タイプ、色やデザインを変えられるファッションタイプ、雨天仕様タイプ、等用途別の形状仕様にて構成されている請求項１記載の靴構造。
【発明の詳細な説明】
【０００１】
【産業上の利用分野】
この発明は、サンダルや靴と同様な他の型の履物等を含む靴構造に関するものである。
【０００２】
【従来の技術】
従来、ビジネス靴やスポーツ靴等、用途にあった物をそれぞれ個別に開発製造されていた。
【０００３】
【発明が解決しようとする課題】
これは次のような欠点があった。
（イ）用途に合わせ靴を揃えるため、靴の数が増えてしまい資源の無駄使いであった。
（ロ）同じ色の靴により洋服とのファッションバランスに問題があった。
（ハ）スポーツなどに行く時にその用途にあった靴を別に持参する必要があった。
（ニ）靴はデザインなど流行の影響により廃棄される確率が高く、使用頻度も低く不経済であった。
【０００４】
【問題を解決するための手段】
この発明に関連した靴、靴構造は、ソール部がソール（１）とソール（２）の平面部（３）は、ねじ式固定（４）１箇所以上により脱着出来る様にした物や鍵式固定（５）１箇所以上により脱着出来る様にした物などにより２重構造でソール（２）を用途に合わせ脱着出来ることを特徴とする靴構造にする事で、ソール（１）単体での使用も可能であり、脱着用のソール（２）はウオーキング用、ゴルフ用、登山用、スノースパイクタイプ、フエルト底タイプ、色やデザインを変えられるファッションタイプ、雨天仕様タイプ、等の形状仕様にて構成されている。又、ソール（１）とソール（２）の外周、アウトソール部については水等異物の侵入を防ぐと同時にソール（１）と（２）の密着を良くするため、凹凸の溝をそれぞれ合う用に設け、平面部固定箇所以外の面に残る多少の空気によりクッション性も高める事が可能で、機能別のソール（２）を必要に応じ付け替えることにより何種類もの機能を備える事を可能にした靴構造である。
【０００５】
【作用】
ソール部がソール（１）とソール（２）の平面部（３）は、ねじ式固定（４）１箇所以上により脱着出来る様にした物や鍵式固定（５）１箇所以上により脱着出来る様にした物などにより２重構造でソール（２）を用途に合わせ脱着出来る機能別のソール（２）を必要に応じ付け替えることにより、ソール（１）単体での使用も可能であるが、脱着用のソール（２）はウオーキング用、ゴルフ用、登山用、スノースパイクタイプ、フエルト底タイプ、色やデザインを変えられるファッションタイプ、雨天仕様タイプ、等の形状仕様にて構成され、靴本体１つで何種類もの機能を備える事を可能に出来る。又、ソール（１）とソール（２）の外周、アウトソール部については水等異物の侵入を防ぐと同時にソール（１）と（２）の密着を良くするため、凹凸の溝をそれぞれ合う用に設け、平面部固定箇所以外の面に残る多少の空気によりクッション性も高める事が出来る。
【０００６】
【実施例】
以下、発明の実施例について説明する。
（イ）ねじ式固定用の場合、靴本体のソール（１）に１箇所以上のねじ式固定用ソール（１）の凹ねじ部（６）を設け、靴本体のアウトソール面（８）に靴全周につながった、外向き凹凸溝（９）を１本以上設ける。次に脱着用のソール（２）を用途別のソールにてソール（１）の凹ねじ部（６）に合う様に凸ねじ部（７）を靴本体ソール（１）と同数、同位置に設ける。脱着用のソール（２）のアウトソール部内側（１０）には靴本体のアウトソール面（８）に靴全周につながった、外向き凹凸溝（９）に接合時に合う様同数の内向き凹凸溝（１１）を設ける。以上により、靴本体のソール（１）に脱着用のソール（２）に合わせ、靴本体のアウトソール面（８）に靴全周につながった、外向き凹凸溝（９）と脱着用のソール（２）のアウトソール部内側（１０）の内向き凹凸溝（１１）、靴本体のアウトソール内面（１８）に靴全周につながった、内向き凹凸溝（２０）と脱着用のソール（２）のアウトソール部外側（２１）の外向き凹凸溝（２２）とにより取り付ける、完了後、靴本体のソール（１）のねじ式固定用の凹ねじ部（６）と脱着用のソール（２）の凸ねじ部（７）により接合、使用出来る。
（ロ）鍵式固定用の場合、靴本体のソール（１）に１箇所以上の鍵式固定用ソール（１）の凹鍵部（１２）を設け、靴本体のアウトソール面（８）に靴全周につながった、凹凸溝（９）を１本以上設ける。次に脱着用のソール（２）を用途別のソールにてソール（１）の凹鍵部（１２）に合う様に凸鍵部（１３）を靴本体ソール（１）と同数、同位置に設ける。脱着用のソール（２）のアウトソール部内側（１０）には靴本体のアウトソール面（８）に靴全周につながった、外向き凹凸溝（９）に接合時に合う様同数の内向き凹凸溝（１１）を設ける。以上により、靴本体のソール（１）に脱着用のソール（２）に合わせ、靴本体のアウトソール面（８）に靴全周につながった、外向き凹凸溝（９）と脱着用のソール（２）のアウトソール部内側（１０）の内向き凹凸溝（１１）、靴本体のアウトソール内面（１８）に靴全周につながった、内向き凹凸溝（２０）と脱着用のソール（２）のアウトソール部外側（２１）の外向き凹凸溝（２２）とにより取り付ける、完了後、靴本体のソール（１）の鍵式固定用の凹鍵部（１２）と脱着用のソール（２）の凸鍵部（１３）により接合、使用出来る。
【０００７】
本発明は以上のような構造で、これを使用する時は、ソール（１）単体での使用も可能であるが、機能別の脱着用ソール（２）を必要に応じ付け替えることにより、ウオーキング用、ゴルフ用、登山用、スノースパイクタイプ、フエルト底タイプ、色やデザインを変えられるファッションタイプ、雨天仕様タイプ、等、靴本体１つで何種類もの機能を備える事を可能に出来る。又、ソール（１）とソール（２）の外周、アウトソール部についてはソール（１）と（２）の密着を良くするための凹凸の溝により密着し、水等異物の侵入を防ぐと同時に、平面部固定箇所以外の面に残る多少の空気によりクッション性も高める事が出来る。
【０００８】
【発明の効果】
本発明により、靴本体１つで何種類もの機能を備える事を可能に出来、クッション性、履き心地、ファッション性等付加価値を高める事が出来、きわめて確実である。
【図面の簡単な説明】
【図１】本発明のねじ式固定での本体と脱着用それぞれの断面図である。
【図２】本発明のねじ式固定での合体時の断面図と平面図である。
【図３】本発明の鍵式固定での本体と脱着用それぞれの断面図である。
【図４】本発明の鍵式固定での合体時の断面図と平面図である。
【符号の説明】
１  本体靴
２  靴本体のソール
３  脱着用のソール
４  ねじ式固定用ソール、（２）の凹ねじ部
５  ねじ式固定用ソール、（３）の凸ねじ部
６  鍵式固定用ソール、（２）の凹鍵部
７  鍵式固定用ソール、（３）の凸鍵部
８  靴本体のソール、（２）のアウトソール面
９  靴本体のソール、（２）のアウトソール全周に設けた、外向き凹凸溝
１０  脱着用ソール、（３）のアウトソール内側全周に設けた、内向き凹凸溝
【図１】
2004208979.tif 000003
【図２】
2004208979.tif 000004
【図４】
2004208979.tif 000005
【手続補正書】
【提出日】平成15年3月20日(2003.3.20)
【手続補正１】
【補正対象書類名】明細書
【補正対象項目名】図面の簡単な説明
【補正方法】変更
【補正の内容】
【図面の簡単な説明】
【図１】本発明のねじ式固定での本体と脱着用それぞれの断面図である。
【図２】本発明のねじ式固定での合体時の断面図と平面図である。
【図３】本発明の鍵式固定での本体と脱着用それぞれの断面図である。
【図４】本発明の鍵式固定での合体時の断面図と平面図である。
【符号の説明】
１  本体  靴
２  靴本体のソール
３  脱着用のソール
４  ねじ式固定用ソール、（２）の凹ねじ部
５  ねじ式固定用ソール、（３）の凸ねじ部
６  鍵式固定用ソール、（２）の凹鍵部
７  鍵式固定用ソール、（３）の凸鍵部
８  靴本体のソール、（２）のアウトソール面
９  靴本体のソール、（２）のアウトソール全周に設けた、外向き凹凸溝
１０  脱着用ソール、（３）のアウトソール内側全周に設けた、内向き凹凸溝


【手続補正２】
【補正対象書類名】図面
【補正対象項目名】全図
【補正方法】変更
【補正の内容】
【図１】
2004208979.tif 000006
【図２】
2004208979.tif 000007
【図３】
2004208979.tif 000008
【図４】
2004208979.tif 000009